(57)【要約】【課題】本発明は、制御盤に収めた制御機器のレイアウトの自由度の向上が図れる制御盤の取付け構造を提供する。【解決手段】本発明の制御盤の取付け構造は、扉部材１５、カバー１９で閉じられる開口部１４，１７が異なる方向に形成された制御盤４を用い、この制御盤４を架台部材２の通常設置位置から正面側へ引き出し、この引き出された制御盤４を回動変位させることにより、制御盤４の各扉部材１５，カバー１９が架台部材２の正面側へ向く構成を採用した。これにより、特定の方向に限らず、異なる方向からでも制御盤４のメンテナンスが行える構成にして、制御機器２１ａ〜２１ｄが、正面方向に限らず、制御盤４の左右方向など、各方向でレイアウトできるようにした。【選択図】      図６
2005136352.tif 000002
【特許請求の範囲】
【請求項１】
正面側が開放した架台部材と、
前記架台部材の通常設置位置に配置され、内部に制御機器が収められ、かつ周側壁の異なる方向にはそれぞれ開口部が形成された制御盤と、
前記制御盤を前記架台部材の通常設置位置から、前記架台部材の正面側へ引き出し可能に支持する第１支持機構と、
前記引き出された前記制御盤を各開口部が前記架台部材の正面側へ向くように回動可能に支持する第２支持機構と
を具備することを特徴とする制御盤の取付け構造。
【請求項２】
前記制御盤は、内部が仕切り部材で複数の独立した室に仕切られ、該仕切られた室が、それぞれ制御盤の異なる方向で開口し、かつ当該各開口部が専用の蓋部材で開閉可能に閉じられる構成としてあることを特徴とする請求項１に記載の制御盤の取付け構造。
【請求項３】
前記仕切られた各室には、温度特性毎に分けて前記制御機器が収められることを特徴とする請求項２に記載の制御盤の取付け構造。
【請求項４】
前記第１支持機構は、一端部が前記架台部材に支持され、他端部が前記制御盤を挟んで前記架台部材の正面側の開放部へ延びる一対のレール部材と、前記制御盤をそれぞれ前記レール部材にスライド自在に支持させる一対のスライド部材とを有するスライド式支持機構で構成され、
前記第２支持機構は、前記スライド部材を支点に前記制御盤を回動可能に支持する回動式支持機構で構成され、
前記制御盤は、各開口部が前記制御盤の回動方向に沿う周側壁に形成されている
ことを特徴とする請求項１ないし請求項３のいずれか一つに記載の制御盤の取付け構造。
【発明の詳細な説明】
【技術分野】
【０００１】
本発明は、例えばパッケージ型給水ポンプユニットなどといった制御盤を組込んでユニット化した装置に用いられる制御盤の取付け構造に関する。
【背景技術】
【０００２】
アパートやマンションなどの集合住宅では、屋外に給水ポンプユニットを設置して、給水本管から、同ポンプユニットを通じて、直接的に各家庭に給水することが行われている（直結給水）。
【０００３】
このような直結給水に用いられる制御盤は、雨水や塵などに耐えるよう屋外での設置を可能とするために、パッケージ部材の内部に、給水ポンプ（例えばモータとポンプとを直結したもの）や給水ポンプの給水運転を助ける機器（アキュムレータ、配管機器など）などと一緒に収めることが行われている。具体的にはパッケージ部材は、背面をなす略板状の架台部材とこの架台部材の正面側の開放部を覆う箱形状のカバー部材とを脱着可能に組み合わせたキャビネットや、背部をなす箱状の架台部材とこの架台部材の正面側の開放部を覆うカバー部材とを脱着可能に組合わせたキャビネットなどがあるが、いずれも架台部材の背面の隅、例えば上段隅部に箱形状の制御盤を据付け、その周囲に他機器である給水ポンプ、配管機器、アキュムレータなどを密集して取付けることが行われている。
【０００４】
制御盤は、内部に収めてある各種制御機器（例えばインバータやリレーユニットや基板装置や表示装置など）の故障に対して対処できるよう、メンテナンス用の開口部が形成してある。
【０００５】
ところが、制御盤のメンテナンス用の開口部は、他機器が制御盤の周りに密集してレイアウトされる都合上、従来、図７〜図９に示されるように架台部材の開放している正面側にだけに設けることが余儀なくされている。
【０００６】
すなわち、図７に示される構造は、架台部材ａの背面上の通常設置位置に設置した制御盤ｂのうち、架台部材ａの開放側（正面側）に向く制御盤ｂの正面側に、扉部材ｃで開閉される開口部ｄを形成する構造を採用して、制御盤ｂの内部機器（図示しない）が故障したときは、架台部材ａからカバー部材ｆを外した後、外部に露出する制御盤ｂの扉部材ｃを二点鎖線のように開くことにより、架台部材ａの正面から、制御盤ｂの内部に収めてある制御機器（図示しない）の修理や部品交換が行えるようにしている。
【０００７】
また図８に示される構造は、上記図７の構造に加え、架台部材ａの背面上の通常設置位置に配置した制御盤ｂを、制御盤ｂの幅方向両側に設けた一対のスライドレール部ｈで、通常設置位置から架台部材ａの正面側へ引き出せる構造を採用して、制御盤ｂの内部機器（図示しない）が故障したときは、架台部材ａからカバー部材ｆを外した後、制御盤ｂを二点鎖線のように正面側へ引き出してから、制御盤ｂの正面側にある扉部材ｃを開いて、制御盤ｅの内部に収めてある制御機器（図示しない）の修理や部品交換が行えるようにしている。
【０００８】
図９に示される構造は、上記図７の構造に加え、架台部材ａの背面上の通常設置位置に配置した制御盤ｂの幅方向一側を、蝶番などのヒンジ部材ｊを介して、架台部材ａの側壁部ｋに回動自在に支持する構造を採用して、制御盤ｂの内部機器（図示しない）が故障したときは、架台部材ａからカバー部材ｆを外した後、制御盤ｂを二点鎖線のようにヒンジ部材ｊを支点に回動させて正面側へ引き出してから、制御盤ｂの正面側にある扉部材ｃを開いて、制御盤ｅの内部に収めてある制御機器（図示しない）の修理や部品交換が行えるようにしている。
【発明の開示】
【発明が解決しようとする課題】
【０００９】
こうした制御盤ｂは、他機器との関係でメンテナンスを行う方向が特定、すなわち制御盤ｂの正面に特定されるために、制御盤ｂ内に収めた制御機器のレイアウトとしては、正面から制御盤ｂ内へ手を挿入したとき作業がしやすいレイアウト、具体的には正面方向に各種制御機器を配置するという、正面方向に偏ったレイアウトが強いられる。このため、制御盤ｂ内の制御機器は、配置する場所が特定されてしまうために、内部スペースを活用したレイアウトで配置することが難しく、制御盤ｂの小型化を妨げる要因となっている。
【００１０】
そこで、本発明の目的は、制御盤に収めた制御機器のレイアウトの自由度の向上が図れる制御盤の取付け構造を提供することにある。
【課題を解決するための手段】
【００１１】
請求項１に記載の発明は、上記目的を達成するために、周側壁の異なる方向にそれぞれ開口部が形成された制御盤を用い、この制御盤を架台部材の通常設置位置から正面側へ引き出し、この引き出された制御盤を回動させることにより、制御盤の開口部が架台部材の正面側へ向くようにした。
【００１２】
この構成により、制御盤のメンテナンスは、制御盤を他機器が密集する地点から正面側へ引き出して、架台部材の開放側へ移動させ、その後、制御盤の回動により架台部材の開放側へ制御盤の周側壁の異なる方向に形成した開口部を向かせ、開口部をメンテナンスが行いやすい架台部材の開放側へ配置する。そして、開口部を通じて、制御盤内の制御機器の修理や部品交換などの作業を行えばよい。こうした異なる方向の開口部を架台部材の正面側へ向けるようにした構造により、制御盤のメンテナンス方向は、一つの方向に特定されずに他の方向でもよく、制御盤内に収めた制御機器のレイアウトの自由度が高められる。
【００１３】
請求項２に記載の発明は、上記目的に加え、さら制御機器が制御盤内に有効に収まるよう、制御盤には、仕切り部材で内部が仕切られた複数の独立した室、仕切られた各室を制御盤の異なる方向で開口させる開口部を有した構成を採用した。
【００１４】
請求項３に記載の発明は、特に制御機器間の熱的影響を回避するよう、仕切られた各室に、温度特性毎に分けて、制御機器を収める構成を採用した。
【００１５】
請求項４に記載の発明は、上記目的に加え、簡単な構造で、制御盤の異なる方向からのメンテナンスが行えるよう、第１支持機構には、一端部が架台部材に支持され他端部が制御盤を挟んで架台部材の正面側の開放部へ延びる一対のレール部材と、制御盤をそれぞれレール部材にスライド自在に支持させる一対のスライド部材とを有するスライド式支持機構を用い、第２支持機構には、スライド部材を支点に制御盤を回動可能に支持する回動式支持機構を用い、制御盤の回動方向に沿う周側壁に制御盤の各開口部を形成する構成を採用した。
【発明の効果】
【００１６】
請求項１に記載の発明によれば、制御盤は、特定の方向に限らず、異なる方向からも、内部機器のメンテナンスが行える。この制御盤のメンテナンス方向のマルチ化により、制御盤内に収められた制御機器は、正面方向に限らず、制御盤の左右方向など、各種方向でレイアウトできる。
【００１７】
それ故、制御盤内の制御機器におけるレイアウトの自由度の向上が図れ、省スペース化から制御盤の小型化を図ることができる。
【００１８】
請求項２に記載の発明によれば、上記効果に加え、制御盤内の複数の独立した室を用いて、合理的に制御機器を収めることができるといった効果を奏する。
【００１９】
請求項３に記載の発明によれば、特に複数の独立した室に、温度特性毎に制御機器を収めるようにすることで、温度特性が高い制御機器が、温度特性の低い制御機器に影響を与えるのを防ぐことができるといった効果を奏する。
【００２０】
請求項４に記載の発明によれば、制御盤の異なる方向からのメンテナンスが、スライド式支持機構と回動式支持機構とを組み合わせるといった簡単な構造で実現できるといった効果を奏する。
【発明を実施するための最良の形態】
【００２１】
［一実施形態］
以下、本発明を図１〜図６に示す一実施形態にもとづいて説明する。
【００２２】
図１は、給水ポンプユニット、例えば縦置き式パッケージ型給水ポンプユニットの一部を示し、図中１はパッケージ部材を示す。このパッケージ部材１は、例えば背面をなす上下方向に延びる略板状の架台部材２と、架台部材２の正面側の開放した部分を上下左右方向並びに正面方向から覆う箱形状のカバー部材３とを脱着可能に組み合わせたキャビネットが用いてある。
【００２３】
このキャビネットの背面、すなわち架台部材２で形成する背面壁の内面（背面）うち、例えば上段隅部の地点には、例えば箱形の制御盤４が設けてある。なお、この制御盤４が通常配置される地点を、ここでは通常設置位置という。この制御盤４の周囲には、例えば２基の縦置きの給水ポンプ５（例えば縦方向からモータ６ａとポンプ部６ｂとを直結して構成されるもの）、アキュムレータ７、給水ポンプ５やアキュムレータ７につながる配管機器８（いずれも他機器）などが密集して配設してある。つまり、給水ポンプユニットは、カバー部材３と架台部材２とを組み合わせると、制御盤４が制御対象の機器と一緒にキャビネットに収められて、ユニット化される構造にしてある。
【００２４】
この給水ポンプユニットの制御盤４には、複数のメンテナンス用の開口部１４，１７を異なる方向に形成した構造が用いられている。この制御盤４の構造が図２〜図４に示されている。制御盤４の構造について説明すると、１１は制御盤４の外郭を形成する例えば箱形のケース１１である。このケース１１内には、前後方向に渡り仕切り壁１２（仕切り部材に相当）が設けられ、ケース１１の内部空間を前後に仕切っている。これにより、ケース１１内に複数の独立した室１３、１６を形成している。このうち前側の室１３の正面側は、ケース１１の周側壁の正面となる部分に開口している。これにより、ケース１１の正面側にその正面の全体を占める大きさをもつメンテナンス用の開口部１４を形成している。なお、ケース１１の正面側には、蓋部材、例えば横開き式の扉部材１５が設けられていて、メンテナンス開口部１４を開いたり閉じたりできるようにしてある。また後側（裏面側）の室１６の側部、例えば給水ポンプ５側（右側）は、ケース１１の周側壁の右側（給水ポンプ５側）となる壁部分に開口している。これにより、先のメンテナンス開口部１４とは異なるケース１１の右側の地点にも、メンテナンス用の開口部１７を形成している。なお、開口部１７は、ケース１１の右側に固定される蓋部材、例えばねじ部材１８で脱着可能に固定される板状のカバー１９にて、開いたり閉じたりできるようにしてある。
【００２５】
この区画された室１３，１６を活用して、制御盤４の内部には、例えば、インバータ、リレーユニット、基板装置や表示装置などといった、給水ポンプの制御や給水ポンプの保守管理などを行う各種制御機器２１ａ〜２１ｄが有効に収めてある。具体的には、制御機器２１ａ〜２１ｄの温度特性（発熱特性）を考慮して、低い温度特性を有する制御機器２１ｃ、２１ｄは、一括して、区画された一方の室、例えば前側の室１４内に収めてあり、高い温度特性を有する制御機器２１ａ，２１ｂは、一括して、区画された他方の室、例えば後側の室１６内に収めてある。もちろん、メンテナンス作業が行いやすいよう、制御機器２１ｃ、２１ｄは、開口部１４を出入りする作業者の手で修理や部品交換などが行いやすい場所、多くは開口部１４と向き合う場所である室１４の奥行き面（仕切り壁１２の側面）に設置してあり、制御機器２１ａ，２１ｂは、開口部１７を出入りする作業者の手で修理や部品交換などが行いやすい場所、多くは開口部１７と向き合う場所である室１６の奥行き面に設置してある。
【００２６】
制御盤４は、これら異なる方向にある開口部１４，１７が、メンテナンス作業が行いやすい架台部材２の開放側へ向くよう、架台部材２に移動可能に取付けてある。この取付け構造の各部詳細が図２に示され、全体が図３および図４に示されている。
【００２７】
この取付け構造を説明すると、同構造には、例えば制御盤４の全体を他機器と密集している通常設置位置から、メンテナンス作業が行いやすい架台部材２の正面側（開放側）へ引き出すスライド式支持機構２３（第１機構に相当）と、引出した制御盤４の開口部１４，１７を架台部材２の正面側へ自在に向ける回動式支持機構２４（第２機構に相当）とを組み合わせた構造が用いてある。このうちスライド式支持機構２３には、例えば図２〜図４に示されるように制御盤４を挟むようにケース１１の上下部に配置した一対のガイドレール２６（一対のレール部材に相当）を用いた構造が用いてある。具体的には、一対のガイドレール２６は、いずれも一端部が架台部材２の背面壁に支持され、他端部がケース１１の上下部に沿いに延びて架台部材２の正面側へ張り出している。なお、張り出したガイドレール２６の大部分には、いずれも上下の向きで貫通する長孔２７が長手方向に沿って形成してある。これらガイドレール２６の長孔２７には、図３および図４に示されるように同一垂直線上に位置してケース１１の上下部に形成した一対のスライド部材、例えばボス部２８がスライド自在に支持されている。ここでは、ボス部２８は、例えば図５のように長孔２８を通じてボス部２８へねじ込まれるボルト２９（支持具）によりガイドレール２４にスライド自在に支持してある。これで、制御盤４の全体を、架台部材２の背面上の通常設置位置から架台部材２の前方の他機器と干渉しない前方位置まで引き出せる構造にしている。つまり、スライド式支持機構２３を構成している。なお、図示はしないが制御盤４は、ストッパにより、通常設置位置、前方の引き出し位置の双方で、適宜に位置決め固定されるようにしてある。また各ボルト２９の頭部は、各ガイドレール２６の長孔２７に対して回動自在に支持されており、制御盤４の全体を、上下のボス部２８を支点として、開口部１４，１７のある左右方向へ回動できるようにしている。このときの制御盤４の回動具合により、制御盤４の正面にある開口部１４を架台部材２の開放側（正面側）へ向けたり、右側にある開口部１７を架台部材２の開放側（正面側）へ向けたり、開口部１４および開口部１７の双方共に架台部材２の開放側（正面側）へ向けられるようにしている。つまり、回動式支持機構２４を構成している。なお、図示はしないが制御盤４は、ストッパにより、開口部１４が真正面に向く姿勢、開口部１７が真正面に向く姿勢、開口部１４と開口部１７との両者が正面に斜めに向く姿勢で、適宜に位置決め固定されるようにしてある。
【００２８】
つぎに、このようにして給水ポンプユニットに取付けられた制御盤４の取扱いについて説明する。
【００２９】
今、例えば制御盤４に内蔵されている制御機器２１ａ〜２１ｄの電子部品が故障し、それに対する対処を行うとする。
【００３０】
このときには、まず、架台部材２に組付いているカバー部材３を、図１に示されるように架台部材２から取り外して、各種機器が据付けてある架台部材２の内面側（背面側）を外部に露出させる。これにより、図３および図４に示されるように通常設置位置に配置してある制御盤４の正面が表れる。
【００３１】
この後、図６中の二点鎖線に示されるように制御盤４を、給水ポンプ５やアキュムレータ７、配管機器８など他機器が密集している地点（通常設置位置）から、架台部材２の正面側（開放側）へ引き出す。この引き出し操作で、制御盤４を、図６中の二点鎖線に示されるように回動変位しても他機器と干渉しない地点まで前方へ移動させる。続いて、ボス部２８を支点に制御盤４を左右方向へ例えば４５°位の角度で傾けて（回動操作）、制御盤４の周側壁の異なる方向にある、開口を塞いでいる扉部材１５とカバー１９との両者を架台部材２の正面側（開放側）へ向かせる。これにより、扉部材１５およびカバー１９は、いずれもメンテナンスが行いやすい広い場所（開放側）に配置される。この後、図６中の実線に示されるように扉部材１５を開けたり、カバー１９を取り外したりする開放作業を行い、正面側のメンテナンス開口部１４や右側のメンテナンス開口部１７を開放させる。そして、開放したメンテナンス開口部１４やメンテナンス開口部１７を通じて、制御盤４内の独立した室１３，１６にある制御機器２１ａ〜２１ｄを検査したり、修理したり、部品を交換したりすることにより、故障に対する措置が行われる。
【００３２】
こうした異なる方向にあるメンテナンス開口部１４，１７を架台部材２の正面側へ向けるようにした構造により、制御盤４のメンテナンス方向は、制御盤４に対して正面方向や右方向のようにマルチ化されるので、一つの方向に特定されずにすむ。
【００３３】
それ故、制御盤４内に収めた各種制御機器２１ａ〜２１ｄは、室１３に見られるような正面方向といった一つの方向に偏らず、室１６に見られるような制御盤４の左右方向など、各種方向でのレイアウトができ、制御盤４内での制御機器２１ａ〜２１ｄのレイアウトに関する自由度が高められる。
【００３４】
したがって、省スペースを考慮した各機器や部品の配置ができ、制御盤４の小型化が図れる。しかも、制御盤４内に独立した室１３，１６を形成し、同室１３，１６内に制御機器２１ａ〜２１ｄを設置する構造により、各種制御機器２１ａ〜２１ｄは、互いに影響させずに制御盤４内に収めたり、系統的に収めたりすることができ、合理的に制御機器２１ａ〜２１ｄを設置することができる。特に独立した室１３，１６内に、制御機器２１ａ〜２１ｄを温度特性毎に分けて収めるようにすると、室１３，１６の隔たりを用いて、温度特性が高い制御機器２１ａ、２１ｂが、温度特性の低い制御機器２１ｃ，２１ｄに対して影響を与えるのを防ぐことができ、容易に制御機器２１ａ〜２１ｄ間の熱的影響を回避する対策が施せる。
【００３５】
またこうした効果は、スライド式支持機構２３と回動式支持機構２４とを組み合わせるだけの簡単な構造で得ることができる。
【００３６】
なお、本発明は上述した一実施形態に限定されるものではなく、本発明の主旨を逸脱しない範囲内で種々変更して実施しても構わない。例えば上述の一実施形態は、制御機器２１ａ〜２１ｄを温度特性に分けて、独立した室１３，１６内に配置するようにしたが、これに限らず、制御機器２１ａ〜２１ｄを系統別に分けて、独立した室内１３，１６内に配置するようにしてもよい。また一実施形態では、本発明を給水ポンプユニットの制御盤に適用したが、これに限らず、他の装置の制御盤に適用してもよい。むろん、一実施形態では、２つに仕切った制御盤を挙げたが、それ以上に仕切った構造の制御盤でもよい。
【図面の簡単な説明】
【００３７】
【図１】は本発明の一実施形態に係る制御盤の取付け構造を、同構造を適用した給水ポンプユニットと共に示す斜視図。
【図２】同制御盤の取付け構造の詳細を示す斜視図。
【図３】制御盤の据付け状態を示す平面図。
【図４】同じく正面図。
【図５】図４中のＡ部を拡大して示す図。
【図６】制御盤のメンテナンスを行うときの状況を説明するための平面図。
【図７】制御盤で行われていた扉式のメンテナンス構造を示す斜視図。
【図８】その異なるスライド式のメンテナンス構造を示す斜視図。
【図９】その異なる回動式のメンテナンス構造を示す斜視図。
【符号の説明】
【００３８】
２…架台部材、４…制御盤、１２…仕切り壁（間仕切り部材）、１３，１６…室、１４，１７…メンテナンス開口部（開口）、１５，１９…扉部材，カバー（蓋部材）２１ａ〜２１ｄ…制御機器、２３…スライド式支持機構（第１機構）、２４…回動式支持機構（第２機構）、２６…ガイドレール（レール部材）、２８…ボス部（スライド部材）。
【図１】
2005136352.tif 000003
【図２】
2005136352.tif 000004
【図３】
2005136352.tif 000005
【図４】
2005136352.tif 000006
【図５】
2005136352.tif 000007
【図６】
2005136352.tif 000008
【図７】
2005136352.tif 000009
【図８】
2005136352.tif 000010
【図９】
2005136352.tif 000011